(57)【特許請求の範囲】
【請求項１】
多数の凹部又は凸部を形成し、摺出米を受けて揺動しながら玄米選別する揺動選別板（１）の選別排出辺部（２）の前方に玄米仕切板（３０）と開閉カバー（３６）を設け、玄米仕切板（３０）を開閉カバー（３６）側に取り付け、玄米仕切板（３０）と開閉カバー（３６）を一体的に開閉可能とし、
揺動選別板（１）の選別排出辺部（２）に平坦面の平面排出面（４）を形成し、平面排出面（４）の端縁（５）部に、略直下方向に折り曲げる屈曲片部（６）を形成し、
平面排出面（４）部の下側面に、屈曲片部（６）と平行状の補強桟（７）を形成し、
開閉カバー（３６）を開放姿勢とすると、揺動選別板（１）の選別排出辺部（２）の前方が開放され、揺動選別板（１）を前方に引き出し可能に構成したことを特徴とする揺動選別装置。
【発明の詳細な説明】
【技術分野】
【０００１】
この発明は、籾摺機で摺り出された摺出米を、籾と玄米に選別する揺動選別板に関し、揺動選別板面に摺出米を揺動移送する凹凸面を形成すると共に、この選別排出辺部には、適宜幅に亘って平坦面状の平面排出面を形成する。
【背景技術】
【０００２】
揺動選別板面に多数の小さい凹凸面を形成した各揺動選別板を、多段支持形態に積載収容する選別機枠に対して、前側選別排出辺部とは反対側の後側部へ引出して着脱可能とする技術（例えば、特許文献１参照）が知られている。
【先行技術文献】
【特許文献】
【０００３】
【特許文献１】特開２００５ー４０７３２号公報
【発明の概要】
【発明が解決しようとする課題】
【０００４】
揺動選別板は、例えば、エンボス加工方法等によって、揺動選別のための小さな凹凸面を板面全面に亘って形成するものであり、しかも、この揺動選別板の材料としてはアルミ板材を主体として軽量化を図る形態であることが多く、この揺動選別板の選別排出辺部を下側へ折曲げる場合は、この排出端縁部が波形状エッジ、乃至バリ形態に凹凸形成され易く、しかも、この折り曲げ形成時に選別排出辺部から屈曲片部が分離され易くなって、屈曲片部の形成が難しくなる。すると、    エッジが凹凸のまま切り取られるため、揺動選別板の着脱の際に作業者が選別板の端部を把持すると手に凹凸が当接し、出し入れがし難い。
【課題を解決するための手段】
【０００５】
請求項１に記載の発明は、
多数の凹部又は凸部を形成し、摺出米を受けて揺動しながら玄米選別する揺動選別板（１）の選別排出辺部（２）の前方に玄米仕切板（３０）と開閉カバー（３６）を設け、玄米仕切板（３０）を開閉カバー（３６）側に取り付け、玄米仕切板（３０）と開閉カバー（３６）を一体的に開閉可能とし、
揺動選別板（１）の選別排出辺部（２）に平坦面の平面排出面（４）を形成し、平面排出面（４）の端縁（５）部に、略直下方向に折り曲げる屈曲片部（６）を形成し、
平面排出面（４）部の下側面に、屈曲片部（６）と平行状の補強桟（７）を形成し、
開閉カバー（３６）を開放姿勢とすると、揺動選別板（１）の選別排出辺部（２）の前方が開放され、揺動選別板（１）を前方に引き出し可能に構成したことを特徴とする揺動選別装置の構成とする。
【０００６】
【発明の効果】
【０００７】
請求項１に記載の発明は、開閉カバー（３６）を開けて揺動選別板（１）を前方に引き出す際に作業者が平面排出部（４）と屈曲片部（６）と補強桟（７）を作業者が把持できるため、簡潔な構成でありながら、揺動選別板（１）の抜き差し移動操作を行い易くすることができる。
また、平面排出面（４）から籾や玄米の排出を促進できる。
【０００８】
【０００９】
【図面の簡単な説明】
【００１０】
【図１】籾摺プラントの正面図。
【図２】その揺動選別装置部の平面図（Ａ）と、その一部の拡大平面図（Ｂ）。
【図３】その揺動選別装置選別排出口部の正面側斜視図。揺動選別板の一部の拡大平面図。
【図４】板体接合形態の揺動選別板の拡大平面図（Ａ）と、側面図（Ｂ）と、この継目部の実施例を示す側断面図（Ｃ），（Ｄ）、及び屈曲片部、補強桟部の側断面図（Ｅ），（Ｆ）。
【図５】揺動選別板の一部の拡大平面図と、その一部の拡大側断面図。
【発明を実施するための形態】
【００１１】
図面に基づいて、籾摺選別装置は、二階建て形態として、一階の床８面上には、籾を供給する原籾ホッパ９や、籾揚穀機１０、混合米揚穀機１１、玄米揚穀機１２、揺動選別装置１３、及び玄米ホッパ１４等を配置し、二階の床１５面上には、籾摺装置１６、及び風選装置１７、更には玄米選別装置１８等を配置する。
【００１２】
前記供給ホッパ１４に投入された籾を、籾揚穀機１０で揚穀して、籾摺装置１６上の籾ホッパ１９へ供給し、この籾ホッパ１９から繰出供給される籾を籾摺装置１６の籾摺ロール間に供給案内させて籾摺作用を行わせる。この籾摺ロール間から摺出された摺出（混合）米は、下側の風選装置１７に供給されて、吸引排風ファン２０の回転による選別風を受けて、摺出米から籾殻や塵埃等が風選除去されて、この摺出米は、玄米と籾米との混合する混合米と、比重の軽い未熟米等に風選別されて、この風選装置１７の摺出米受樋２１、未熟米受樋２２等から機外へ取出される。
【００１３】
前記摺出米受樋２１に取出された摺出（混合）米は、シュート２３を経て混合米揚穀機１１へ流下案内されて、この混合米揚穀機１１によって混合米ホッパ２４へ揚穀供給される。この混合米ホッパ２４の下側に分配供給口２５から、多段揺動選別装置１３の各揺動選別板１毎の上側面に均等量に分配供給される。
【００１４】
前記揺動選別装置１３の各揺動選別板１からは、この選別排出辺部２の一側端部の玄米口２６から玄米が選別排出され、他側端部の籾米口２９からは籾米が選別排出され、これら中間部の混合米口２８からは玄米と籾米との混合した混合米として選別排出される。そして、これら玄米口２６から取出された玄米は、玄米揚穀機１２を揚穀されて、玄米選別装置１８へ供給されて選別処理される。又、混合米口２８に取出された混合米は、混合米揚穀機１１へ供給されて、前記シュート２３から流入する摺出混合米と合流して前記混合米ホッパ２４へ還元供給される。又、籾米口２９に取出された籾米は、籾揚穀機１０へ供給されて、籾ホッパ９から供給される原籾と共に合流状態で籾ホッパ１９へ還元供給される。前記選別排出辺部２の落口には、玄米仕切板３０と籾仕切板３１が配置されて、この玄米仕切板３０をギヤドモータ３２の駆動によって回転する制御軸３３に螺合させて、この制御軸３３の正、逆回転によって、玄米仕切板３０を選別排出辺部２を左右方向へ移動させて、玄米と混合米との選別仕切位置を適正に調節することができる。又、この仕切板３０の調節制御は、選別板１の摺出、混合米層の流れる状態を検出する仕切位置センサを設けて、この仕切位置センサの検出によって、ギヤドモータ３２を出力して玄米層の選別仕切位置を制御移動する形態とすることもできる。
【００１５】
前記揺動選別装置１３は、立方形態の選別フレーム３４を左右方向Ｙへ揺動可能に設けて、揺動モータによって揺動させる。この選別フレーム３４に多段の揺動選別板１を積載した形態に構成する。又、各揺動選別板１は、前下り、及び左下り傾斜に設定されていて、この揺動選別板１の揺動によって流れる摺出選別米の流れる方向を後側位置Ｒから前方位置Ｆへ向うように設定している。
【００１６】
前記揺動選別板１は、アルミ板製、乃至アルミ合金板製等から軽量化形態としている。正方形の板体３９を複数枚接合させて前後方向に長い長方形に形成している。この揺動選別板１には、例えば、エンボス加工方法等によって、摺出米粒Ａの嵌合しうる程度の小さくて、浅い凹面５０が多数、小間隔に、整列配置形態に形成されて、凹凸面３を形成する。この各凹面５０の外周部が凸面５１として、凹面５０よりも高く突出される形態となる。この各凹面５０は左右の方向に若干長く形成して、左下り傾斜の左端部には、直角状に段差形成の揺上げエッジ５２、及びスリット５３を形成し、又、このエッジ５２と反対側の右端側には、凹面５０の底面部５４から選別板１の上面５５（凸面５１）に亘って適宜昇り傾斜面５６を形成して、この凹面５０に嵌合された摺出米の、揺上げ移送による凹面５０からの脱出を円滑に行われるように形成している。
【００１７】
図４（Ｃ）において、前記一対の正方形の板体３９の継目部４０は、帯板状形態の受桟４１上面に受けさせて、ブラインドリベット４２で固定している。又、図４（Ｄ）のように、前後の板体３９の端縁部を一部屈曲４３させて、この屈曲部４３上に他方の板体３９端縁部を重合させて、板面に段差を形成しない状態に接合させて、リベット４２止めで連結する構成とすることもできる。
【００１８】
前記揺動選別板１は、後側位置Ｒ上に分配供給口２５をのぞませて、揺動選別すべき摺出（混合）米の供給を受ける。この揺動選別板１の選別排出辺部２は、前方位置Ｆを左右横方向に亘って形成されて、この選別排出辺部２の右端側部に玄米口２６を形成し、左端側部に籾米口２９を形成し、これら玄米口２６と籾米口２９との間の適宜幅を混合米口２８として配置形成する。又、籾米口２９の左側には、揺動選別板１の左横側に亘る側部籾米口２７を、籾米口２９の一部分として形成して、籾米の選別排出を速かに行わせるように形成している。前記各揺動選別板１の選別排出辺部２に沿って、前記凹凸面３を形成しない揺動選別板１の素材板面を選別板面、乃至この基準面とした平滑な平面排出面４を適宜幅に形成し（図４、図５）、又、図４のように、この平面排出面４の先端縁部５に、略直下方向に折曲る屈曲片部６を適宜高さに形成している。更に、この屈曲片部６の奥側には、アングル状断面形態の補強桟７を揺動選別板１と交差する下側方向に適宜高さに突出させて、この屈曲片部６と平行状態に形成し、作業者が各選別板１を出し入れするときは、これら選別板１端縁部５下側の屈曲片部６と補強桟７に亘る部分を把持しやすく形成して、選別板１を前後に押し引きし易く形成している。
【００１９】
前記揺動選別装置１３の選別フレーム３４の前端部には、開閉ヒンジ３５の周りに前後回動する開閉カバー３６を設け、この開閉カバー３６の内側に前記玄米仕切板３０や、籾仕切板３１、これらを移動制御するモータ３２、及びこれら仕切板３０、３１によって案内された玄米、籾等を流下案内するシュート３７等を形成して、一体的に開閉回動することができ、この開閉カバー３６を前方へ回動して開放することによって、揺動選別装置１３前側の、各揺動選別板１の選別排出辺部２を開放することができる。又、この開閉カバー３６を開放することによって、各選別棚部の揺動選別板１をこの選別排出辺部２側から前方へ引出して、着脱することができる。
【００２０】
ここにおいて、摺出米を受けて揺動しながら玄米選別する揺動選別板１の選別排出辺部２に沿って、適宜幅に亘って凹凸面３を形成しない平坦面の平面排出面４を形成したことを特徴とする揺動選別板の構成とする。
【００２１】
揺動選別板１を揺動させて、上面に摺出米を供給すると、凹凸面３の玄米揺動移送の揺上作用によって、摺出米層の下層部に沈降する玄米が凹凸面の凹面部に嵌合係合されて、揺上げ移送されて、この玄米層の上側部に浮上された籾米が揺動選別板１の傾斜低位側へ滑動されて、揺動選別板１の選別排出辺部２上面に流動排出される。選別排出辺部２上面に流出された摺出米は、揺動選別板１の傾斜高位側に玄米が選別排出され、傾斜低位側に籾米が選別排出される。又、これら傾斜低位側と高位側との中間部域に、玄米と粒米との混合する混合米が流出される。これら選別排出辺部２に流出された玄米、混合米、及び籾米を仕切板によって、仕切って取出することにより、玄米を選別し、籾米や、混合米は、還元搬送して再揺動選別処理するものである。前記揺動選別板１の凹凸面３の形成された凹凸面域で揺上移動される摺出米は、選別排出辺部２における平面排出面４上面に揺動移行されて、平坦面をこの平面排出面４の端縁部５へ向けて排出される。
【００２２】
このような揺動選別板１の板面は、前記凹凸面３域では、数粒の玄米を嵌合しうる程度の小さくて浅い凹面部を多数配置形成して、この各凹面部間の間隔部を平面排出面４と同一平面高さに形成して凸面部としている。このため、凹凸面３域と平面排出面４域との境界は、段差を少くし、又は段差をなくして、滑らかに傾斜変形させて、凹凸面３域を選別されて、平面排出面４へ流出された玄米、混合米、籾米を、そのままの姿勢で平面排出面４を端縁部５側へ押出すように流出させて、玄米や籾米と、混合米との再混合が行われ難くする。
【００２３】
又、前記揺動選別板１の平面排出面４端縁５部に、下向きに折曲形態の屈曲片部６を形成する。
前記のように揺動選別板１の凹凸面３域で揺動選別された摺出米は、玄米、混合米、及び籾米に選別されながら、この揺動選別板１の終端の選別排出辺部２に沿って流出される。この選別排出辺部２の平面排出面４の各玄米、混合米、籾米等は、この滑面な平面排出面４を移動されて、端縁５から外側へ流下排出される。このような揺動選別板１の選別排出辺部２は、平面排出面４の端縁５が、屈曲片部６の折曲形成によって、尖ったエッジや、バリ等の形成されない滑らかな端縁に形成されて、選別された玄米や、籾米等を円滑に排出落下させることができる。又、揺動選別板１の選別排出辺部２の下面側に直交方向に突出形成される屈曲片部６の形成により、この揺動選別板１の軽量化、剛性を高めて、平面排出面４の揺動歪みを小さくして、円滑、的確で、安定した選別物の流動排出を行わせる。
【００２４】
更には、前記揺動選別板１の平面排出面４部の下側面に、前記屈曲片部６と平行状の補強桟７を形成する。
前記のように揺動選別板１は、揺動選別経路行程の終端部である選別排出辺部２に沿って、平面排出面４を形成して、この端縁５部に下向きの折曲片部６を形成するが、更に、この平面排出面４の下面側には補強桟７を形成して、作業者は、手でこれら揺動選別板１の端縁５部の折曲片６や補強桟７に亘る部分を把持し易くする。揺動選別板１は、これら折曲片部６、及び補強桟７等の形成によって、剛性を高められて、揺動選別作用時の揺動選別板１面の局部的歪みや、振動等の発生を少くする。又、各揺動選別板１を揺動選別棚フレームから着脱するときは、作業者が端縁５部の折曲片部６から補強桟７に亘る部分を把持して、揺動選別棚フレームの排出側位置の選別排出辺部２側から抜き差しすることにより、着脱できる。
【００２５】
本実施の形態の揺動選別板１は凹部に玄米が入り込むことで籾と玄米を選別する構成であるが、凸部で玄米を押すことで籾と玄米を選別する構成でも良い。
【符号の説明】
【００２６】
１    揺動選別板
２    選別排出辺部
３    凹凸面
４    平面排出面
５    端縁部
６    屈曲片部
７    補強桟
【図１】
0006036607.tif 000002
【図２】
0006036607.tif 000003
【図３】
0006036607.tif 000004
【図４】
0006036607.tif 000005
【図５】
0006036607.tif 000006